(57)【特許請求の範囲】
【請求項１】
第１の表示部と、
第２の表示部と、
前記第１の表示部に対する入力を検出する第１の検出部と、
前記第２の表示部に対する入力を検出する第２の検出部と、
前記第１の表示部と前記第２の表示部を制御する表示制御部と、
前記入力を無効にするキーロック機能の設定および解除を制御する機能制御部と、を備え、
前記表示制御部は、
前記キーロック機能を解除するための解除画面を前記第１の表示部および前記第２の表示部に表示させ、
前記第１の検出部および前記第２の検出部のいずれか一方の検出部により検出された入力に応じて、前記解除画面に含まれるオブジェクト画像の位置を移動させ、
前記機能制御部は、
前記第１の検出部および前記第２の検出部のいずれか一方により前記オブジェクト画像の位置を前記第１の表示部および前記第２の表示部の一方の表示部から他方の表示部に移動させる入力が検出されると、前記キーロック機能を解除し、
報知手段を切り替える報知手段制御部をさらに備え、
前記解除画面は、前記オブジェクト画像と異なる他のオブジェクト画像を含み、
前記表示制御部は、
前記第１の検出部および前記第２の検出部のいずれか一方の検出部により検出された入力に応じて、前記他のオブジェクト画像の位置を移動させ、
前記報知手段制御部は、
前記第１の検出部および前記第２の検出部のいずれか一方により前記他のオブジェクト画像の位置を前記第１の表示部および前記第２の表示部の一方の表示部から他方の表示部に移動させる入力が検出されると、前記報知手段を切り替える、
ことを特徴とする携帯端末装置。
【請求項２】
請求項１に記載の携帯端末装置において、
前記機能制御部は、前記第１の検出部および前記第２の検出部により前記オブジェクト画像の位置を移動させるための前記入力が検出されなくなったときに、前記オブジェクト画像の位置が前記他方の表示部内にあると、前記キーロック機能を解除する、
ことを特徴とする携帯端末装置。
【請求項３】
請求項１に記載の携帯端末装置において、
前記機能制御部は、前記オブジェクト画像の位置が前記他方の表示部に移動されてから所定時間の間、前記オブジェクト画像が前記他方の表示部内にあると、前記キーロック機能を解除する、
ことを特徴とする携帯端末装置。
【請求項４】
請求項１に記載の携帯端末装置において、
前記機能制御部は、前記オブジェクト画像の位置が前記他方の表示部に移動されてから所定時間の間、前記オブジェクト画像が前記他方の表示部内の所定領域にあると、前記キーロック機能を解除する、
ことを特徴とする携帯端末装置。
【請求項５】
請求項１ないし４のいずれか一項に記載の携帯端末装置において、
記憶部をさらに備え、
前記オブジェクト画像の位置が移動されてから所定時間の間、前記第１の検出部および前記第２の検出部により前記オブジェクト画像の当該位置を移動させるための前記入力が検出されないと、前記記憶部が前記オブジェクト画像の当該位置を記憶し、前記表示制御部が前記第１の表示部および前記第２の表示部を消灯する、
ことを特徴とする携帯端末装置。
【請求項６】
請求項５に記載の携帯端末装置において、
前記第１の検出部および前記第２の検出部は、前記表示制御部により前記第１の表示部および前記第２の表示部が消灯されると、前記オブジェクト画像の位置を移動させるための前記入力を検出しない、
ことを特徴とする携帯端末装置。
【請求項７】
請求項６に記載の携帯端末装置において、
ユーザからの入力を受け付ける入力部をさらに備え、
前記表示制御部は、前記入力部により前記ユーザからの入力が受け付けられると、前記第１の表示部および前記第２の表示部を点灯し、前記記憶部に記憶された前記オブジェクト画像の位置に対応する位置に前記オブジェクト画像を配置した前記解除画面を表示させる、
ことを特徴とする携帯端末装置。
【請求項８】
請求項７に記載の携帯端末装置において、
前記機能制御部は、前記記憶部に記憶された前記オブジェクト画像の位置が前記他方の表示部にあると、前記キーロック機能を解除する、
ことを特徴とする携帯端末装置。
【請求項９】
請求項１ないし８のいずれか一項に記載の携帯端末装置において、
前記報知手段は、音による報知および振動による報知を含み、
前記報知手段制御部は、前記他のオブジェクト画像の位置が前記一方の表示部から前記他方の表示部に移動されると、前記音による報知と前記振動による報知とを切り替える、
ことを特徴とする携帯端末装置。
【請求項１０】
第１の表示部と、第２の表示部と、前記第１の表示部に対する入力を検出する第１の検出部と、前記第２の表示部に対する入力を検出する第２の検出部と、報知手段とを備える携帯端末装置のコンピュータに、
前記入力を無効にするキーロック機能を解除するための解除画面を前記第１の表示部および前記第２の表示部に表示させる機能と、
前記第１の検出部および前記第２の検出部のいずれか一方の検出部により検出された入力に応じて、前記解除画面に含まれるオブジェクト画像の位置を移動させる機能と、
前記第１の検出部および前記第２の検出部のいずれか一方により前記オブジェクト画像の位置を前記第１の表示部および前記第２の表示部の一方の表示部から他方の表示部に移動させる入力が検出されると、前記キーロック機能を解除する機能と、
前記第１の検出部および前記第２の検出部のいずれか一方の検出部により検出された入力に応じて、前記解除画面に含まれる、前記オブジェクト画像と異なる他のオブジェクト画像の位置を移動させる機能と、
前記第１の検出部および前記第２の検出部のいずれか一方により前記他のオブジェクト画像の位置を前記第１の表示部および前記第２の表示部の一方の表示部から他方の表示部に移動させる入力が検出されると、前記報知手段を切り替える機能と、
を付与するプログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置には、キーボタンやタッチパネルに対する入力を無効にするキーロック機能が設けられている。かかるキーロック機能が携帯端末装置に設定されていると、ユーザはキーロック機能を解除してから携帯端末装置を使用することになる。
【０００３】
かかる携帯端末装置では、たとえば、設定したキーボタンが設定時間以上押し続けると、キーロック機能が解除される（たとえば、特許文献１参照）。
【先行技術文献】
【特許文献】
【０００４】
【特許文献１】特開２００９−２３９４７７号公報
【発明の概要】
【発明が解決しようとする課題】
【０００５】
上記の構成では、携帯端末装置がかばんの中に入っているときに、設定されたキーボタンに物が偶然に当たり続けることが起こり得る。このような場合には、ユーザの意図に反して、キーロック機能が簡単に解除されてしまう虞がある。
【０００６】
本発明は、かかる課題に鑑みてなされたものであり、ユーザの意図に反したキーロック機能の解除が行われにくい携帯端末装置を提供することを目的とする。
【課題を解決するための手段】
【０００７】
本発明の第１の態様に係る携帯端末装置は、第１の表示部と、第２の表示部と、前記第１の表示部に対する入力を検出する第１の検出部と、前記第２の表示部に対する入力を検出する第２の検出部と、前記第１の表示部と前記第２の表示部を制御する表示制御部と、前記入力を無効にするキーロック機能の設定および解除を制御する機能制御部と、を備える。ここで、前記表示制御部は、前記キーロック機能を解除するための解除画面を前記第１の表示部および前記第２の表示部に表示させ、前記第１の検出部および前記第２の検出部のいずれか一方の検出部により検出された入力に応じて、前記解除画面に含まれるオブジェクト画像の位置を移動させ、前記機能制御部は、前記第１の検出部および前記第２の検出部のいずれか一方により前記オブジェクト画像の位置を前記第１の表示部および前記第２の表示部の一方の表示部から他方の表示部に移動させる入力が検出されると、前記キーロック機能を解除する。携帯端末装置は、報知手段を切り替える報知手段制御部をさらに備える。前記解除画面は、前記オブジェクト画像と異なる他のオブジェクト画像を含む。前記表示制御部は、前記第１の検出部および前記第２の検出部のいずれか一方の検出部により検出された入力に応じて、前記他のオブジェクト画像の位置を移動させ、前記報知手段制御部は、前記第１の検出部および前記第２の検出部のいずれか一方により前記他のオブジェクト画像の位置を前記第１の表示部および前記第２の表示部の一方の表示部から他方の表示部に移動させる入力が検出されると、前記報知手段を切り替える。
【０００８】
本態様に係る携帯端末装置において、前記機能制御部は、前記第１の検出部および前記第２の検出部により前記オブジェクト画像の位置を移動させるための前記入力が検出されなくなったときに、前記オブジェクト画像の位置が前記他方の表示部内にあると、前記キーロック機能を解除するように構成され得る。
【０００９】
本態様に係る携帯端末装置において、前記機能制御部は、前記オブジェクト画像の位置が前記他方の表示部に移動されてから所定時間の間、前記オブジェクト画像が前記他方の表示部内にあると、前記キーロック機能を解除するように構成され得る。
【００１０】
本態様に係る携帯端末装置において、前記機能制御部は、前記オブジェクト画像の位置が前記他方の表示部内に移動されてから所定時間の間、前記オブジェクト画像が前記他方の表示部内の所定領域にあると、前記キーロック機能を解除するように構成され得る。
【００１１】
本態様に係る携帯端末装置において、記憶部をさらに備えるように構成され得る。ここで、前記オブジェクト画像の位置が移動されてから所定時間の間、前記第１の検出部および前記第２の検出部により前記オブジェクト画像の当該位置を移動させるための前記入力が検出されないと、前記記憶部が前記オブジェクト画像の当該位置を記憶し、前記表示制御部が前記第１の表示部および前記第２の表示部を消灯する。
【００１２】
本態様に係る携帯端末装置において、前記第１の検出部および前記第２の検出部は、前記表示制御部により前記第１の表示部および前記第２の表示部が消灯されると、前記オブジェクト画像の位置を移動させるための前記入力を検出しないように構成され得る。
【００１３】
本態様に係る携帯端末装置において、ユーザからの入力を受け付ける入力部をさらに備えるように構成され得る。ここで、前記表示制御部は、前記入力部により前記ユーザからの入力が受け付けられると、前記第１の表示部および前記第２の表示部を点灯し、前記記憶部に記憶された前記オブジェクト画像の位置に対応する位置に前記オブジェクト画像を配置した前記解除画面を表示させる。
【００１４】
本態様に係る携帯端末装置において、前記機能制御部は、前記記憶部に記憶された前記オブジェクト画像の位置が前記他方の表示部にあると、前記キーロック機能を解除するように構成され得る。
【００１６】
本態様に係る携帯端末装置において、前記報知手段は、音による報知および振動による報知を含むように構成され得る。ここで、前記報知手段制御部は、前記他のオブジェクト画像の位置が前記一方の表示部から前記他方の表示部に移動されると、前記音による報知と前記振動による報知とを切り替える。
【００１７】
本発明の第２の態様に係るプログラムは、第１の表示部と、第２の表示部と、前記第１の表示部に対する入力を検出する第１の検出部と、前記第２の表示部に対する入力を検出する第２の検出部と、報知手段とを備える携帯端末装置のコンピュータに、前記入力を無効にするキーロック機能を解除するための解除画面を前記第１の表示部および前記第２の表示部に表示させる機能と、前記第１の検出部および前記第２の検出部のいずれか一方の検出部により検出された入力に応じて、前記解除画面に含まれるオブジェクト画像の位置を移動させる機能と、前記第１の検出部および前記第２の検出部のいずれか一方により前記オブジェクト画像の位置を前記第１の表示部および前記第２の表示部の一方の表示部から他方の表示部に移動させる入力が検出されると、前記キーロック機能を解除する機能と、前記第１の検出部および前記第２の検出部のいずれか一方の検出部により検出された入力に応じて、前記解除画面に含まれる、前記オブジェクト画像と異なる他のオブジェクト画像の位置を移動させる機能と、前記第１の検出部および前記第２の検出部のいずれか一方により前記他のオブジェクト画像の位置を前記第１の表示部および前記第２の表示部の一方の表示部から他方の表示部に移動させる入力が検出されると、前記報知手段を切り替える機能とを付与する。
【発明の効果】
【００１８】
本発明によれば、ユーザの意図に反したキーロック機能の解除が行われにくい携帯端末装置を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る解除画面を各表示面に表示した図である。
【図５】実施の形態に係るオブジェクト画像の表示位置が第２表示面に移動させる操作がなされることによりキーロック機能が解除される処理手順を示すフローチャートである。
【図６】実施の形態に係るリリース時点におけるオブジェクト画像の表示位置が第２表示面にあればキーロック機能が解除される処理手順を示すフローチャートである。
【図７】実施の形態に係るオブジェクト画像の表示領域が第２表示面に所定時間以上あればキーロック機能が解除される処理手順を示すフローチャートである。
【図８】実施の形態に係るオブジェクト画像の表示領域が第２表示面の同じ位置に所定時間以上あればキーロック機能が解除される処理手順を示すフローチャートである。
【図９】実施の形態に係る解除画面を各表示面に表示した図である。
【図１０】実施の形態に係る解除画面を各表示面に表示した図である。
【図１１】実施の形態に係る解除画面を各表示面に表示した図である。
【図１２】実施の形態に係る解除画面を縦に向けた携帯電話機の各表示面に表示した図である。
【図１３】実施の形態に係る解除画面を横に向けた携帯電話機の各表示面に表示した図である。
【発明を実施するための形態】
【００２１】
以下、本発明の実施の形態について、図面を参照して説明する。
【００２２】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００２３】
第１キャビネット１０は、横長の直方体形状を有する。第１キャビネット１０の正面には、第１タッチパネルが配されている。第１タッチパネルは、第１ディスプレイ１１および第１タッチセンサ１２を含む。
【００２４】
第１ディスプレイ１１は、第１表示面１１ａ１に画像を表示する表示部に相当する。第１ディスプレイ１１は、第１液晶パネル１１ａおよび第１バックライト１１ｂ（図３参照）で構成されている。第１液晶パネル１１ａの前面に第１表示面１１ａ１が設けられる。第１表示面１１ａ１上に第１タッチセンサ１２が重ねられている。第１バックライト１１ｂは、１つまたは複数の光源を含み、第１液晶パネル１１ａを照明する。
【００２５】
第１タッチセンサ１２は、第１ディスプレイ１１に対する入力を検出する検出部に相当する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検
出し、その入力位置に応じた位置信号を出力する。なお、ユーザが第１表示面１１ａ１を触れるとは、たとえば、ユーザがペンなどの接触部材や指で第１表示面１１ａ１をタッチすることである。第１表示面１１ａ１にタッチした接触部材や指はユーザにより静止されてもよいし、移動されてもよい。また、接触部材や指が第１表示面１１ａ１にタッチしている時間は短くても、長くてもよい。
【００２６】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２７】
また、第１キャビネット１０の内部には、前面近傍の中央位置に磁石１５が配されており、右前角部に磁石１６が配されている。
【００２８】
第１キャビネット１０の右側面および左側面のそれぞれには、突起部１７が設けられている。
【００２９】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１および第２タッチセンサ２２を含む。
【００３０】
第２ディスプレイ２１は、第２表示面２１ａ１に画像を表示する表示部に相当する。第２ディスプレイ２１は、第２液晶パネル２１ａおよび第２バックライト２１ｂ（図３参照）で構成されている。第２液晶パネル２１ａの前面に第２表示面２１ａ１が設けられる。第２バックライト２１ｂは１つまたは複数の光源を含み、第２液晶パネル２１ａを照明する。なお、第１ディスプレイ１１および第２ディスプレイ２１は、有機ＥＬ等他の表示素子により構成されてもよい。
【００３１】
第２タッチセンサ２２は、第２ディスプレイ２１に対する入力を検出する検出部に相当する。第２タッチセンサ２２は、第１タッチセンサ１２と同様の形状および構成を有する。第２タッチセンサ２２は、第２ディスプレイ２１の第２表示面２１ａ１を覆い、ユーザが触れた第２表示面２１ａ１上の位置を検出し、その入力位置に応じた位置信号を出力する。
【００３２】
第２キャビネット２０の内部には、後面近傍の中央位置に磁石２４が配されている。
この磁石２４と第１キャビネット１０の磁石１５とは、後述する開状態で互いに引き合うよう配置されている。
【００３３】
第２キャビネット２０の内部において、右前角部には閉鎖センサ２５が配されている。閉鎖センサ２５は、たとえば、ホールＩＣなどで構成される。閉鎖センサ２５は、磁石１６の磁力を検出すると、センサ信号を出力する。後述する閉状態で、第１キャビネット１０の磁石１６が閉鎖センサ２５に接近するので、センサ信号が閉鎖センサ２５からＣＰＵ１００へ出力される。一方、開状態になると、第１キャビネット１０の磁石１６が閉鎖センサ２５から離れるので、閉鎖センサ２５からセンサ信号が出力されない。
【００３４】
第２キャビネット２０の両側面にはそれぞれ２つの軸部２７が設けられている。
【００３５】
保持体３０は、底板部３１と、底板部３１の右端部に形成された右保持部３２と、底板部３１の左端部に形成された左保持部３３とで構成されている。
【００３６】
底板部３１には、３つのコイルバネ３４が左右方向に並ぶように配されている。第２キ
ャビネット２０が保持体３０に取り付けられた状態において、コイルバネ３４は、第２キャビネット２０の下面に当接し、第２キャビネット２０に対して上方に押し上げる力を付与する。
【００３７】
右保持部３２の上面にはマイク３５および電源キー３６が配されている。左保持部３３の上面には、スピーカ３８が配されている。また、右保持部３２の外側面には、複数のハードキー３７が配されている。
【００３８】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３９】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００４０】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに沿って前後にスライド可能である。第２キャビネット２０は、下溝３９ｂに沿って前後にスライド可能である。また、第２キャビネット２０が前方に移動し、軸部２７が縦溝３９ｃまで到達すると、第２キャビネット２０は、縦溝３９ｃに案内されて上下にスライド可能となる。
【００４１】
図２（ａ）〜図２（ｄ）は、携帯電話機１を閉状態から開状態へ切り替えるための操作について説明するための図である。
【００４２】
図２（ａ）に示す閉状態では、第１キャビネット１０が第２キャビネット２０の上に重ねられて、携帯電話機１が畳まれる。閉状態は、第１キャビネット１０により第２表示面２１ａ１が覆われる第１形態に相当する。閉状態では、第１表示面１１ａ１のみが外部に露出する。
【００４３】
図２（ｂ）に示す矢印の方向に、第１キャビネット１０が後方に移動し、図２（ｃ）に示す矢印の方向に、第２キャビネット２０が前方へ引き出される。これにより、閉鎖センサ２５が磁石１６の磁力を検出せず、センサ信号を出力しなくなると、携帯電話機１は開状態に切り替えられる。この開状態では、第２表示面２１ａ１の一部が外部に現れる。
【００４４】
第２キャビネット２０が第１キャビネット１０に重ならなくなると、図１に示す軸部２７が縦溝３９ｃに入る。そして、軸部２７が縦溝３９ｃに沿って動き、第２キャビネット２０は上下に移動可能になる。このとき、コイルバネ３４の弾性力と、磁石１５および磁石２４の引力とにより、第２キャビネット２０は上昇する。
【００４５】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００４６】
なお、開状態は、図２（ｂ）〜図２（ｄ）に示すように、第２表示面２１ａ１の少なくとも一部が外部に露出する第２形態に相当する。
【００４７】
また、突起部１７が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１７、軸部２７および案内溝３９が閉状態および開状態を切替可能な切替部に相当する。
【００４８】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０およびクロック３１１を備えている。
【００４９】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００５０】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５１】
キー入力回路３０３は、電源キー３６やハードキー３７の各キーが押されたときに、各キーに応じた入力信号をＣＰＵ１００へ出力する。
【００５２】
通信モジュール３０４は、ＣＰＵ１００からのデータを無線信号に変換し、アンテナ３０４ａを介して基地局へ送信する。また、通信モジュール３０４は、アンテナ３０４ａを介して受信した無線信号をデータに変換してＣＰＵ１００へ出力する。
【００５３】
バックライト駆動回路３０５は、ＣＰＵ１００からの制御信号に応じた駆動信号を第１バックライト１１ｂおよび第２バックライト２１ｂに供給する。第１バックライト１１ｂは、バックライト駆動回路３０５による駆動信号により点灯し、第１液晶パネル１１ａを照明する。第２バックライト２１ｂは、バックライト駆動回路３０５による駆動信号により点灯し、第２液晶パネル２１ａを照明する。
【００５４】
映像デコーダ３０６は、ＣＰＵ１００からの画像データを第１液晶パネル１１ａおよび第２液晶パネル２１ａで表示できる映像信号に変換し、これらを液晶パネル１１ａ、２１ａに出力する。第１液晶パネル１１ａは、映像信号に応じた第１画面を第１表示面１１ａ１に表示する。第２液晶パネル２１ａは、映像信号に応じた第２画面を第２表示面２１ａ１に表示する。
【００５５】
音声デコーダ３０７は、ＣＰＵ１００からの音声信号と、着信音やアラーム音等の各種報知音の音信号とにデコード処理を施し、さらにアナログの音声信号に変換してスピーカ３８に出力する。スピーカ３８は、音声デコーダ３０７からの音信号や音声信号を再生する。
【００５６】
バッテリー３０９は、ＣＰＵ１００やＣＰＵ１００以外の各部へ電力を供給するためのものであり、二次電池からなる。バッテリー３０９は電源部３１０に接続されている。
【００５７】
電源部３１０は、バッテリー３０９の電圧を各部に必要な大きさの電圧に変換して各部
へ供給する。また、電源部３１０は、外部電源（図示せず）を介して供給された電力をバッテリー３０９へ供給して、バッテリー３０９を充電する。
【００５８】
クロック３１１は、時間を計測し、計測した時間を応じた信号をＣＰＵ１００へ出力する。
【００５９】
メモリ２００は、ＲＯＭおよびＲＡＭを含む。
【００６０】
メモリ２００には、ＣＰＵ１００に制御機能を付与するための制御プログラムが記憶されている。かかる制御プログラムには、オブジェクト画像ＯＩの開始位置Ｐ０が表示されている表示面と異なる表示面にオブジェクト画像ＯＩの表示位置Ｐを移動させる入力が検出されると、キーロック機能が解除される制御プログラムが含まれる。
【００６１】
メモリ２００には、カメラモジュール１４で撮影した画像データ、通信モジュール３０４を介して外部から取り込んだデータ、および各タッチセンサ１２、２２により入力されたデータが所定のファイル形式で保存される。なお、メモリ２００には、後述するキーロック機能を解除するための画面（以下、「解除画面」と言う。）の画像データが記憶されている。また、メモリ２００には、解除画面に含まれるオブジェクト画像ＯＩの開始位置Ｐ０が記憶されている。
【００６２】
メモリ２００には、操作量−移動距離対応情報が記憶されている。操作量−移動距離対応情報には、リリース前にユーザによりなされた操作量と、リリース後にオブジェクト画像ＯＩが移動する量とが対応付けられている。ユーザによる操作量は、ユーザが表示面１１ａ１、２１ａ１に表示されるオブジェクト画像ＯＩを指などでフリックした際、ユーザがオブジェクト画像ＯＩから指などをリリースさせる前に入力位置が移動する速度（以下、「入力位置の移動速度」と言う）を示す。解除画面におけるオブジェクト画像ＯＩの移動量は、リリース後にオブジェクト画像ＯＩが移動する速度および距離Ｃを示す。
【００６３】
なお、オブジェクト画像ＯＩがユーザによりタッチされ、入力位置がオブジェクト画像ＯＩの開始位置Ｐ０に一致してから、所定時間毎に入力位置が取得され、その入力位置がメモリ２００に一時的に記憶される。このため、リリース後に、リリース前の入力位置がメモリ２００から読み出されて、所定時間毎の入力位置からリリース前の入力位置の移動速度が求められる。
【００６４】
また、操作量−移動距離対応情報は、入力位置の移動速度とオブジェクト画像ＯＩの移動速度および移動距離Ｃとが対応付けられたテーブルであってもよい。また、操作量−移動距離対応情報は、入力位置の移動速度からオブジェクト画像ＯＩの移動速度および移動距離Ｃを計算するための演算式であってもよい。
【００６５】
さらに、操作量−移動距離対応情報では、入力位置の移動速度が大きいほど、オブジェクト画像ＯＩが速く、長い距離を移動するように設定される。これにより、ユーザが両表示面１１ａ１、２１ａ１にタッチした指を速く移動させるほど、オブジェクト画像ＯＩは速く長い距離を移動する。
【００６６】
ＣＰＵ１００は、キー入力回路３０３および各タッチセンサ１２、２２からの操作入力信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、省電力機能およびキーロック機能等の各種アプリケーションを実行する。
【００６７】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。なお、ＣＰＵ１００は、各表示面１１ａ１、２１ａ１に画像を表示する際のコントラスト、輝度、画面サイズ、および画面の透明度なども制御する。
【００６８】
たとえば、ＣＰＵ１００は、キーロック機能が設定されると、解除画面の画像データをメモリ２００から読み出して、解除画面を第１および第２表示面１１ａ１、２１ａ１に表示する。なお、キーロック機能が設定された後に各バックライト１１ｂ、２１ｂが消灯された状態で、各表示面１１ａ１、２１ａ１がタッチされたり、ハードキー３７が押されたりすると、解除画面が表示される。
【００６９】
解除画面は、オブジェクト画像ＯＩを含む。図４（ａ）に示す解除画面では、１つのオブジェクト画像ＯＩは、予め定められた開始位置Ｐ０に配される。図４（ｂ）に示すように、解除画面において、第１表示面１１ａ１の表示座標系と第２表示面２１ａ１の表示座標系は共通し、第１表示面１１ａ１の座標軸Ｘは第２表示面２１ａ１の座標軸Ｘと連続する。
【００７０】
オブジェクト画像ＯＩは、ユーザによりスライドやフリックされると移動される。なお、オブジェクト画像ＯＩが、たとえば、開始位置Ｐ０から所定距離３２０ｐｘ以上移動される操作が所定時間０．２秒の間になされると、フリックがなされたと判断される。また、オブジェクト画像ＯＩが、たとえば、開始位置Ｐ０から所定距離３２０ｐｘ以上移動される操作が所定時間０．２秒より長い時間の間になされると、スライドがなされたと判断される。
【００７１】
ユーザが各表示面１１ａ１、２１ａ１のオブジェクト画像ＯＩにタッチした指をスライドし、各タッチセンサ１２、２２からＣＰＵ１００へ位置信号が出力されている間、位置信号の入力位置にオブジェクト画像ＯＩの表示位置Ｐが合わせられる。これにより、図４（ｂ）に示すように、ユーザがタッチした入力位置にオブジェクト画像ＯＩが表示されて、各タッチセンサ１２、２２からの位置信号の入力位置の動きに応じて、オブジェクト画像ＯＩの表示位置Ｐが移動される。なお、オブジェクト画像ＯＩにタッチした指が第１表示面１１ａ１から第２表示面２１ａ１に移る際、第１タッチセンサ１２からの位置信号が出力されなくなってから、第２タッチセンサ２２から位置信号が出力されるまでの間に、いずれのタッチセンサからも位置信号がＣＰＵ１００へ出力されない時間がある。この時間が所定時間未満であれば、オブジェクト画像ＯＩを移動させる操作が連続していると判断される。一方、この時間が所定時間以上になると、オブジェクト画像ＯＩにタッチされた指はリリースされたと判断されて、オブジェクト画像ＯＩは開始位置Ｐ０に戻るように表示される。
【００７２】
フリックによりオブジェクト画像ＯＩにタッチしていた指が表示面からリリースされると、メモリ２００の操作量−移動距離対応情報に基づいて、リリース前の入力位置の移動速度からオブジェクト画像ＯＩの移動速度および移動距離Ｃが求められる。これにより、リリース時の表示位置Ｐｎから、求められた移動速度で移動距離Ｃ、オブジェクト画像ＯＩが移動するように表示される。
【００７３】
また、キーロック機能が解除されると、ＣＰＵ１００は、解除画面に代えて操作画面を各表示面１１ａ１、２１ａ１に表示する。操作画面は、キーロック機能の解除と判断されてから所定時間後に表示されてもよい。操作画面は、予め定められた画面であってもよい
し、キーロック機能設定前にユーザが操作していた画面であってもよい。
【００７４】
さらに、省電力機能のアプリケーションが起動されると、ＣＰＵ１００は、各バックライト１１ｂ、２１ｂを消灯する。たとえば、各タッチセンサ１２、２２およびキー入力回路３０３からの入力信号が無くなってからの経過時間が所定時間を超えると、省電力機能が設定され、各バックライト１１ｂ、２１ｂが消灯される。また、省電力機能を設定する処理が割り当てられたハードキー３７が操作されると、省電力機能が設定され、各バックライト１１ｂ、２１ｂが消灯される。
【００７５】
一方、省電力機能を解除するための所定のハードキー３７または任意のハードキー３７が操作されると、省電力機能が解除され、ＣＰＵ１００は、各バックライト１１ｂ、２１ｂを点灯する。
【００７６】
ＣＰＵ１００は、機能制御部として、ユーザからの入力情報やプログラムからの情報に従ってキーロック機能を設定および解除する。
【００７７】
たとえば、各表示面１１ａ１、２１ａ１に表示されるアイコンやハードキー３７にキーロック機能を設定する処理が割り当てられている場合、そのアイコンやハードキー３７がユーザにより操作されると、キーロック機能が設定される。具体的には、電源キー３６が所定時間以上押された場合、キーロック機能が設定される。
【００７８】
キーロック機能が設定され、解除画面が表示されると、解除画面のオブジェクト画像ＯＩに対する入力のみが各タッチセンサ１２、２２により受け付けられる。このため、オブジェクト画像ＯＩに対する入力以外の入力は無効になり、キーロック機能を解除するための操作以外の入力に応じた処理は実行されない。
【００７９】
また、キーロック機能が設定された状態で、各バックライト１１ｂ、２１ｂが消灯されると、各バックライト１１ｂ、２１ｂを点灯するための入力以外の入力は無効になる。このため、各バックライト１１ｂ、２１ｂを点灯する処理が割り当てられたハードキー３７が操作されると、処理が実行され、各バックライト１１ｂ、２１ｂを点灯する。なお、各バックライト１１ｂ、２１ｂが消灯された状態では、解除画面が表示されないことから、解除画面のオブジェクト画像ＯＩに対する入力も無効となる。
【００８０】
さらに、各タッチセンサ１２、２２およびキー入力回路３０３からの入力信号が無くなってからの経過時間が所定時間を超えると、キーロック機能が設定される。
【００８１】
一方、解除画面においてオブジェクト画像ＯＩの開始位置Ｐ０が表示されている表示面と異なる表示面にオブジェクト画像ＯＩの表示位置Ｐが移動されると、キーロック機能が解除される。図４（ａ）に示すように、オブジェクト画像ＯＩの開始位置Ｐ０が第１表示面１１ａ１に表示されている場合、図４（ｂ）に示すように、オブジェクト画像ＯＩの表示位置Ｐが第２表示面２１ａ１に移ると、キーロック機能が解除される。
【００８２】
たとえば、ユーザがオブジェクト画像ＯＩにタッチした指をリリースさせずに第１表示面１１ａ１の開始位置Ｐ０から第２表示面２１ａ１にスライドさせると、第１タッチセンサ１２に代えて第２タッチセンサ２２から位置信号が出力される。これにより、オブジェクト画像ＯＩの表示位置Ｐは入力位置に対応して第１表示面１１ａ１から第２表示面２１ａ１に移動するため、キーロック機能が解除される。
【００８３】
また、ユーザがオブジェクト画像ＯＩにタッチした指をフリックによりリリースさせると、操作量−移動距離対応情報に基づいてリリース前の入力位置の移動速度からオブジェ
クト画像ＯＩの移動距離Ｃが求められる。このフリックによりオブジェクト画像ＯＩの表示位置Ｐはリリース時の表示位置Ｐｎから移動距離Ｃを移動する。図４（ｂ）に示すように、第１表示面１１ａ１の表示座標系と第２表示面２１ａ１の表示座標系は共通することから、フリックによる表示位置Ｐ（ｘ、ｙ）は、リリース時の表示位置Ｐｎ（ｘｎ、ｙｎ）および移動距離Ｃから求められる。このため、移動距離ＣのＸ軸方向の距離をＣｘとし、Ｙ軸方向の距離をＣｙとすると、フリックにより移動させられたオブジェクト画像ＯＩの表示位置Ｐは（ｘｎ＋Ｃｘ、ｙｎ＋Ｃｙ）で表わされる。この表示位置Ｐが第２表示面２１ａ１の範囲にあれば、オブジェクト画像ＯＩを第２表示面２１ａ１に移動させる操作がユーザによりなされたと判断される。これにより、キーロック機能が解除される。
【００８４】
このように、キーロック機能が解除されると、キーロック機能を解除するための操作以外の入力も受け付けられ、入力に応じた処理が実行される。
【００８５】
なお、フリックによりリリースされた時点でオブジェクト画像ＯＩの移動距離Ｃおよび移動後の表示位置Ｐが求められる。この表示位置Ｐが第２表示領域であれば、キーロック機能が解除され、解除画面が操作画面に切り替えられる。このため、フリックによりオブジェクト画像ＯＩが第２表示面２１ａ１へ移動させる操作がなされても、オブジェクト画像ＯＩが第２表示面２１ａ１へ移動するまでの時間に比べて、解除画面から操作画面に切り替えられる時間が短い場合、オブジェクト画像ＯＩの表示位置Ｐが第２表示面２１ａ１に達する前に、操作画面に切り替えられることもある。このように、フリックによりオブジェクト画像ＯＩの表示位置Ｐを第２表示面２１ａ１に移動させる操作がなされると、実際にオブジェクト画像ＯＩが第２表示面２１ａ１に移動させられたことが表示されない場合もある。
【００８６】
＜第１の実施形態の処理手順＞
図４（ａ）は、オブジェクト画像ＯＩが開始位置Ｐ０に配された解除画面を各表示面１１ａ１、２１ａ１に表示した図である。図４（ｂ）は、オブジェクト画像ＯＩが開始位置Ｐ０から表示位置Ｐへ移動させられた解除画面を各表示面１１ａ１、２１ａ１に表示した図である。図５は、フリックまたはスライドによりオブジェクト画像ＯＩの表示位置Ｐを第２表示面２１ａ１に移動させる操作がなされると、キーロック機能を解除する処理手順を示すフローチャートである。
【００８７】
所定時間、各表示面１１ａ１、２１ａ１やハードキー３７に対して操作がなされないと、キーロック機能が設定される（Ｓ１０１）。
【００８８】
キーロック機能が設定されると、解除画面が第１および第２表示面１１ａ１、２１ａ１に表示される（Ｓ１０２）。解除画面のオブジェクト画像ＯＩは開始位置Ｐ０に配されている。
【００８９】
オブジェクト画像ＯＩに対する操作がなされたか否かが監視される（Ｓ１０３）。第１タッチセンサ１２からの位置信号がＣＰＵ１００へ出力されない場合や、位置信号が出力されても位置信号の入力位置が開始位置Ｐ０に一致しないと、オブジェクト画像ＯＩがユーザによりタッチされていないと判断される（Ｓ１０３：ＹＥＳ）。
【００９０】
このように、解除画面が表示されてから第１タッチセンサ１２からの位置信号が開始位置Ｐ０に一致しない状態が所定時間以上継続すれば、オブジェクト画像ＯＩがタッチされないまま所定時間が経過したと判断される（Ｓ１０４：ＹＥＳ）。これにより、省電力機能が設定されて、各表示面１１ａ１、２１ａ１が消灯される（Ｓ１０５）。なお、各表示面１１ａ１、２１ａ１が消灯されている間、各表示面１１ａ１、２１ａ１に対する操作が無効に設定される。
【００９１】
ハードキー３７が押されると、ユーザによる操作が行われたと判断され（Ｓ１０６：ＹＥＳ）、省電力機能が解除され、各表示面１１ａ１、２１ａ１に解除画面が表示される（Ｓ１０２）。なお、各表示面１１ａ１、２１ａ１に解除画面が表示されても、キーロック機能は解除されていないことから、オブジェクト画像ＯＩに対する入力は有効であるが、これ以外に対する入力は無効のままである。
【００９２】
第１タッチセンサ１２からの位置信号の入力位置が開始位置Ｐ０に一致すると、オブジェクト画像ＯＩがユーザによりタッチされたと判断される（Ｓ１０３：ＮＯ）。
【００９３】
オブジェクト画像ＯＩにタッチされた指が第１表示面１１ａ１からリリースされたか否かが監視される（Ｓ１０８）。
【００９４】
第１タッチセンサ１２から位置信号が出力されていると、オブジェクト画像ＯＩにタッチした指がリリースされていないと判断される（Ｓ１０８：ＮＯ）。このため、第１表示面１１ａ１上を指がスライドしているため、位置信号の入力位置に合わせてオブジェクト画像ＯＩの表示位置Ｐが移動する（Ｓ１０９）。位置信号が第１タッチセンサ１２に代えて第２タッチセンサ２２からＣＰＵ１００へ出力されると、オブジェクト画像ＯＩの表示位置Ｐが第２表示面２１ａ１へ移動させたと判断される（Ｓ１１０：ＹＥＳ）。これにより、キーロック機能が解除され、各表示面１１ａ１、２１ａ１に操作画面が表示される（Ｓ１１１）。
【００９５】
一方、第１タッチセンサ１２からの位置信号が出力されなくなると、オブジェクト画像ＯＩにタッチした指がフリックにより第１表示面１１ａ１からリリースされたと判断される（Ｓ１０８：ＹＥＳ）。操作量−移動距離対応情報に基づいてリリース前の入力位置の移動速度からリリース後のオブジェクト画像ＯＩの移動速度および移動距離Ｃが求められる。そして、オブジェクト画像ＯＩの表示位置Ｐが、求められた移動速度で移動される。また、リリース時の表示位置Ｐｎおよび移動距離Ｃからフリックにより移動後の表示位置Ｐが求められる（Ｓ１１２）。オブジェクト画像ＯＩの表示位置Ｐが第２表示面２１ａ１にあれば、オブジェクト画像ＯＩを第２表示面２１ａ１に移動させる操作がなされたと判断され（Ｓ１１３：ＹＥＳ）、キーロック機能が解除される（Ｓ１１１）。
【００９６】
なお、オブジェクト画像ＯＩの表示位置Ｐが第２表示面２１ａ１に達しなければ（Ｓ１１３：ＮＯ）、オブジェクト画像ＯＩの表示位置Ｐが開始位置Ｐ０に戻される（Ｓ１１４）。そして、Ｓ１０３の処理に戻り、オブジェクト画像ＯＩがタッチされるか否かが再び監視される（Ｓ１０３）。
【００９７】
以上、本実施の形態によれば、ユーザが、オブジェクト画像ＯＩにタッチし、タッチした指をフリックまたはスライドして、オブジェクト画像ＯＩを第２表示面２１ａ１へ移動させる操作をすることにより、キーロック機能が解除される。このようなユーザによる一連の動きにより、キーロック機能の解除が判断されるため、ユーザの意図しない入力によりキーロック機能が解除され、誤動作が生じるような事態が防がれる。
【００９８】
＜第２実施形態＞
第１の実施形態では、フリックまたはスライドによりオブジェクト画像ＯＩの表示位置Ｐを第２表示面２１ａ１に移動させる操作がなされると、キーロック機能が解除された。これに対し、第２実施形態では、スライドにより移動させられたオブジェクト画像ＯＩの表示位置Ｐがリリース時点において第２表示面２１ａ１にあると、キーロック機能が解除される。
【００９９】
なお、第１実施形態では、オブジェクト画像ＯＩがユーザによりタッチされてからの入力位置がメモリ２００に一時的に記憶された。第２実施形態では、入力位置に加えて、入力位置を検出して入力位置に応じた位置信号をＣＰＵ１００へ出力したタッチセンサの識別情報がメモリ２００に一時的に記憶される。このため、オブジェクト画像ＯＩにタッチした指がリリースされた後に、リリース前に入力位置に応じた位置信号を出力したタッチセンサの識別情報がメモリ２００から読み出される。識別情報が第１タッチセンサ１２であれば入力位置が第１表示面１１ａ１であり、第２タッチセンサ２２であれば入力位置が第２表示面２１ａ１であることが判定される。
【０１００】
図６は、リリース時点におけるオブジェクト画像ＯＩの表示位置Ｐが第２表示面２１ａ１にあることにより、キーロック機能が解除される処理手順を示すフローチャートである。なお、図６におけるＳ２０１〜Ｓ２０７の処理は、それぞれ図５におけるＳ１０１〜Ｓ１０７の処理と同様であるため、説明は省略する。
【０１０１】
オブジェクト画像ＯＩがユーザによりタッチされると（Ｓ２０３：ＮＯ）、入力位置に追随してオブジェクト画像ＯＩの表示位置Ｐが移動される（Ｓ２０８）。
【０１０２】
ユーザがオブジェクト画像ＯＩにタッチした指をリリースするか否かが監視される（Ｓ２０９）。第１および第２タッチセンサ１２、２２が入力位置を検出しなくなると、指が各表示面１１ａ１、２１ａ１からリリースされたと判断される（Ｓ２０９：ＹＥＳ）。
【０１０３】
リリース直前の入力位置および入力位置を検出したタッチセンサの識別情報がメモリ２００から読み出され、識別情報から入力位置を検出したタッチセンサを特定する（Ｓ２１０）。
【０１０４】
入力位置はオブジェクト画像ＯＩの表示位置Ｐに対応することから、入力位置を検出したタッチセンサの識別情報からオブジェクト画像ＯＩが表示される表示面が判断される（Ｓ２１１）。
【０１０５】
識別情報が第１タッチセンサ１２であれば、リリース時のオブジェクト画像ＯＩの表示位置Ｐは第２表示面２１ａ１へ移動させられたと判断される（Ｓ２１１：ＹＥＳ）。これにより、キーロック機能が解除される（Ｓ２１２）。このため、各表示面１１ａ１、２１ａ１に操作画面が表示され、携帯電話機１が使用可能になる。
【０１０６】
一方、識別情報が第１タッチセンサ１２であれば、リリース時にオブジェクト画像ＯＩの表示位置Ｐが第１表示面１１ａ１である（Ｓ２１１：ＮＯ）。このため、オブジェクト画像ＯＩの表示位置Ｐが開始位置Ｐ０に戻されて（Ｓ２１３）、Ｓ２０３の処理に戻り、オブジェクト画像ＯＩがタッチされるか否かが再び監視される（Ｓ２０３）。
【０１０７】
以上、本実施の形態によれば、ユーザは、オブジェクト画像ＯＩにタッチした指を各表示面１１ａ１、２１ａ１からリリースした時点において、オブジェクト画像ＯＩの表示位置Ｐが第２表示面２１ａ１へ移動されていたら、キーロック機能が解除される。このように、リリース時点におけるオブジェクト画像ＯＩの表示位置Ｐからキーロック機能の解除が判断されることから、偶発的に表示位置Ｐが第２表示面２１ａ１に達してキーロック機能が解除されてしまう場合などが排除される。よって、ユーザの意図に即し、誤動作が防止され得る。
【０１０８】
＜第３実施形態＞
第２実施形態では、スライドにより移動させられたオブジェクト画像ＯＩの表示位置Ｐがリリース時点において第２表示面２１ａ１にあると、キーロック機能が解除された。こ
れに対し、第３実施形態では、スライドにより移動させられたオブジェクト画像ＯＩの表示位置Ｐが所定時間の間、第２表示面２１ａ１にあると、キーロック機能が解除される。
【０１０９】
図７は、所定時間の間、オブジェクト画像ＯＩの表示位置Ｐが第２表示面２１ａ１にあることにより、キーロック機能が解除される処理手順を示すフローチャートである。なお、図７におけるＳ３０１〜Ｓ３０７の処理は、それぞれ図５におけるＳ１０１〜Ｓ１０７の処理と同様であるため、説明は省略する。
【０１１０】
ユーザがオブジェクト画像ＯＩに指をタッチしてから（Ｓ３０３：ＮＯ）、ユーザがオブジェクト画像ＯＩにタッチした指を各表示面１１ａ１、２１ａ１からリリースするまでの間（Ｓ３０８：ＮＯ）、入力位置に応じてオブジェクト画像ＯＩが移動される（Ｓ３０９）。
【０１１１】
また、オブジェクト画像ＯＩの表示位置Ｐが入力位置に伴って移動する間、入力位置を検出するタッチセンサが監視される（Ｓ３１０）。
【０１１２】
第１タッチセンサ１２から入力位置に応じた位置信号がＣＰＵ１００へ出力されていると、オブジェクト画像ＯＩは第１表示面１１ａ１に表示されていると判断される（Ｓ３１１：ＮＯ）。このように、オブジェクト画像の表示位置Ｐは第２表示面２１ａ１に移されていないことから、Ｓ３０８に戻り、リリースされていない間、入力位置に応じてオブジェクト画像ＯＩが移動される（Ｓ３０９）。
【０１１３】
一方、第１タッチセンサ１２から入力位置に応じた位置信号がＣＰＵ１００へ出力されると、オブジェクト画像ＯＩは第２表示面２１ａ１に表示されたと判断される（Ｓ３１１：ＹＥＳ）。
【０１１４】
オブジェクト画像ＯＩが第２表示面２１ａ１に移されてから経過した時間が計測される。計測時間が所定時間を超えない間（Ｓ３１２：ＮＯ）、オブジェクト画像ＯＩの表示位置Ｐが第２表示面２１ａ１にあるか否かが監視される（Ｓ３０８、Ｓ３０９、Ｓ３１０、Ｓ３１１：ＹＥＳ）。オブジェクト画像ＯＩが第２表示面２１ａ１に位置する間、経過時間の計測が続き、計測時間が所定時間を超えると（Ｓ３１２：ＹＥＳ）、オブジェクト画像ＯＩが所定時間以上第２表示面２１ａ１にあったとして、キーロック機能が解除される（Ｓ３１３）。
【０１１５】
なお、オブジェクト画像ＯＩにタッチされた指がリリースされると（Ｓ３０８：ＹＥＳ）、オブジェクト画像ＯＩの表示位置Ｐが開始位置Ｐ０に戻されて（Ｓ３１４）、Ｓ３０３の処理に戻る。
【０１１６】
以上、本実施の形態によれば、ユーザは、オブジェクト画像ＯＩを第２表示面２１ａ１に移動させた上、オブジェクト画像ＯＩが第２表示面２１ａ１から出ないように維持することによって、キーロック機能が解除される。このように、オブジェクト画像ＯＩが第２表示面２１ａ１に存在する状態を継続する操作によりキーロック機能の解除が判断されることから、偶発的に表示位置Ｐが第２表示面２１ａ１に達してキーロック機能が解除されてしまう場合などが排除され、誤動作が防止される。
【０１１７】
＜第４実施形態＞
第３実施形態では、オブジェクト画像ＯＩの表示位置Ｐが所定時間の間継続して第２表示面２１ａ１にあれば、キーロック機能が解除された。これに対し、第４実施形態では、オブジェクト画像ＯＩの表示位置Ｐが所定時間の間継続して第２表示面２１ａ１の同じ位置にあれば、キーロック機能が解除される。なお、同じ位置は、オブジェクト画像ＯＩが
停止している地点だけでなく、停止している地点から所定領域も含む。
【０１１８】
図８は、所定時間の間、オブジェクト画像ＯＩの表示位置Ｐが第２表示面２１ａ１にある位置から移動しないことにより、キーロック機能が解除される処理手順を示すフローチャートである。なお、図８におけるＳ４０１〜Ｓ４０７の処理はそれぞれ図５におけるＳ１０１〜Ｓ１０７の処理と同様であり、図８におけるＳ４０８〜Ｓ４１１、Ｓ４１３およびＳ４１４の処理は図７におけるＳ３０８〜Ｓ３１１、Ｓ３１３およびＳ３１４の処理と同様にあるため、説明は省略する。
【０１１９】
オブジェクト画像ＯＩの表示位置Ｐが第２表示面２１ａ１に移動されると（Ｓ４１１：ＹＥＳ）、オブジェクト画像ＯＩにタッチされた指がリリースされていないか、およびオブジェクト画像ＯＩが第２表示面２１ａ１に存在していているかが監視される（Ｓ４０８、Ｓ４１１）。指がオブジェクト画像ＯＩにタッチされ、オブジェクト画像ＯＩが第２表示面２１ａ１に存在していれば（Ｓ４０８：ＮＯ、Ｓ４１１：ＹＥＳ）、オブジェクト画像ＯＩの表示位置Ｐが監視される（Ｓ４１２）。第２表示面２１ａ１においてオブジェクト画像ＯＩの表示位置Ｐが移動すると時間の計測が開始され、表示位置Ｐが再び変化すると、計測時間がリセットされてから計測が再び開始される。オブジェクト画像ＯＩの移動が停止すると、時間の計測が継続される。計測時間が経過時間を超えると、所定時間以上オブジェクト画像ＯＩが移動していないと判断される（Ｓ４１２：ＹＥＳ）。そして、キーロック機能が解除される（Ｓ４１３）。
【０１２０】
以上、本実施の形態によれば、ユーザは、オブジェクト画像ＯＩを第２表示面２１ａ１に移動させた上、オブジェクト画像ＯＩを所定時間以上継続して第２表示面２１ａ１の同じ位置で停止させることによって、キーロック機能が解除される。このように、偶発的に表示位置Ｐが第２表示面２１ａ１に達してキーロック機能が解除されてしまう場合などが排除され、誤動作が防止される。
【０１２１】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１２２】
たとえば、上記実施形態では、入力位置を検出したタッチセンサの識別情報により、オブジェクト画像ＯＩが表示される表示面が判断された。これに対して、入力位置やオブジェクト画像ＯＩの表示位置からオブジェクト画像ＯＩが表示される表示面が判断されてもよい。
【０１２３】
また、上記実施形態では、オブジェクト画像を第１表示面１１ａ１から第２表示面２１ａ１に移動させることにより、キーロック機能が解除された。この反対に、オブジェクト画像を第２表示面２１ａ１から第１表示面１１ａ１に移動させることにより、キーロック機能が解除されてもよい。
【０１２４】
さらに、上記実施形態では、キーロック機能の解除画面では、円形のオブジェクト画像ＯＩが表示されたが、解除画面はこれに限定されない。
【０１２５】
たとえば、図９（ａ）に示す解除画面では、鍵および矢印を含む矩形状のオブジェクト画像ＯＩが第１表示面１１ａ１の端の開始位置に表示されている。このオブジェクト画像ＯＩがタッチされて第２表示面２１ａ１に移動されると、キーロック機能が解除される。
【０１２６】
また、図９（ｂ）に示す解除画面では、円形のオブジェクト画像ＯＩが弧形状の経路上
に表示されている。このオブジェクト画像ＯＩがタッチされて経路に沿って第１表示面１１ａ１から第２表示面２１ａ１へ移動されると、キーロック機能が解除される。
【０１２７】
さらに、図１０（ａ）に示す解除画面では、鍵形状のオブジェクト画像ＯＩおよび錠画像が矩形の経路上に表示され、鍵形状のオブジェクト画像ＯＩが第１表示面１１ａ１に表示され、錠画像が第２表示面２１ａ１に表示されている。鍵形状のオブジェクト画像ＯＩがタッチされて経路に沿って錠画像の位置まで移動されると、キーロック機能が解除される。
【０１２８】
また、図１０（ｂ）に示す解除画面では、画面の角が折り返されたような三角形のオブジェクト画像ＯＩが表示されている。このオブジェクト画像ＯＩがタッチされて第１表示面１１ａ１から第２表示面２１ａ１へ移動されると、キーロック機能が解除される。なお、この例では、オブジェクト画像ＯＩが移動するに従い、折り返し部分が拡がるように表示される。
【０１２９】
さらに、図１１に示す解除画面では、ロック済みのように所定の文字が示された弧形状のオブジェクト画像ＯＩが表示されている。このオブジェクト画像ＯＩがタッチされて第１表示面１１ａ１から第２表示面２１ａ１に移動されると、キーロック機能が解除される。
【０１３０】
また、上記実施形態において、オブジェクト画像ＯＩが指でタッチされた後、オブジェクト画像ＯＩを移動させる操作が所定時間以上継続してなされないと、入力位置および入力位置を検出したタッチセンサの識別情報がメモリ２００に記憶されてから、省電力機能が設定されてもよい。省電力機能により、第１および第２バックライト１１ｂ、２１ｂが消灯される。第１および第２バックライト１１ｂ、２１ｂが消灯されている間、キーロック機能が実行され、第１および第２表示面１１ａ１、２１ａ１に対する入力が無効に設定される。省電力機能を解除するための所定または任意のハードキー３７が操作されると、省電力機能が解除されて、第１および第２バックライト１１ｂ、２１ｂが点灯される。また、省電力機能が実行される前の入力位置がメモリ２００から読み出されて、その入力位置にオブジェクト画像ＯＩが配置された解除画面が第１および第２表示面１１ａ１、２１ａ１に表示される。また、タッチセンサの識別情報がメモリ２００から読み出され、識別情報が第１タッチセンサ１２を示していれば、キーロック機能が解除される。一方、識別情報が第１タッチセンサ１２を示していれば、キーロック機能が維持されたまま、解除画面においてオブジェクト画像ＯＩが表示位置Ｐから開始位置Ｐ０に移動する。これにより、キーロック機能を解除する操作の間に省電力機能などが実行されても、省電力機能解除前の操作内容で判断されるため、改めて操作し直す必要がなく、利便性に優れる。
【０１３１】
さらに、上記実施形態において、オブジェクト画像ＯＩが指でタッチされた後、オブジェクト画像ＯＩを移動させる操作が所定時間以上継続してなされないと、省電力機能が設定されてもよい。省電力機能により、第１および第２バックライト１１ｂ、２１ｂが消灯され、第１および第２表示面１１ａ１、２１ａ１に対する入力が無効に設定される。省電力機能を解除するための所定または任意のハードキー３７が操作されると、第１および第２バックライト１１ｂ、２１ｂが点灯され、解除画面が第１および第２表示面１１ａ１、２１ａ１に表示される。このとき、解除画面において、オブジェクト画像ＯＩが開始位置Ｐ０に配置される。
【０１３２】
また、上記実施形態では、オブジェクト画像ＯＩの表示位置Ｐが第２表示面２１ａ１に達しなければ、オブジェクト画像ＯＩの表示位置Ｐが開始位置Ｐ０に戻された。この際に、オブジェクト画像ＯＩをより速く移動させるように促すためのコメントが各表示面１１ａ１、２１ａ１に表示されてもよい。
【０１３３】
さらに、上記実施形態では、省電力機能が設定されると、各バックライト１１ｂ、２１ｂが消灯されたが、各バックライト１１ｂ、２１ｂの輝度が下げられてもよい。この場合、省電力機能が解除されると、各バックライト１１ｂ、２１ｂの輝度が上げられる。
【０１３４】
また、上記実施形態において、携帯電話機１の状態を切り替えることにより、キーロック機能の設定および解除を切り替えることもできる。たとえば、キーロック機能が設定されている場合に、携帯電話機１の状態が閉状態から開状態へ切り替えられると、キーロック機能が解除される。このように、携帯電話機１の切替操作だけでキーロック機能が解除されるため、キーロック機能を解除するための操作が必要なく、操作性に優れる。
【０１３５】
さらに、上記実施形態において、解除画面においてオブジェクト画像ＯＩを移動させる操作がなされている間に、着信があったり、アラーム機能が起動したりする場合がある。このような場合、解除画面に代えて着信やアラームに対応する画面が第１および第２表示面１１ａ１、２１ａ１に表示され、各画面に対する入力が有効になる。このように、着信やアラームのように即座に対応する必要がある場合には、その機能の画面が表示され、その機能に対する操作が可能になるため、利便性に優れる。
【０１３６】
また、上記実施形態において、解除画面でマナーモードの切り替えが可能であってもよい。図１２および図１３に示すように、マナーモードを設定または解除する切替画像ＭＩが解除画面に表示される。なお、切替画像ＭＩは、報知手段を切り替えるためのオブジェクト画像に相当し、キーロック機能を解除するためのオブジェクト画像ＯＩと異なる。報知手段には、音による報知および振動による報知が挙げられる。マナーモードが設定されると、振動による報知となり、マナーモードが解除されると、音による報知となる。
【０１３７】
具体的には、図１２（ａ）および図１２（ｂ）に示すように、解除画面にはオブジェクト画像ＯＩに加えて、マナーモードの切替画像ＭＩが表示される。マナーモードが設定されていない場合、図１２（ａ）に示すように、着信やアラームなどの報知手段として音がスピーカ３８から出力されることが切替画像ＭＩに表わされる。一方、マナーモードが設定されている場合、図１２（ｂ）に示すように、着信やアラームなどの報知手段として振動することが切替画像ＭＩに表わされる。
【０１３８】
キーロック機能の解除と同様に、ユーザの操作により切替画像ＭＩが第１表示面１１ａ１から第２表示面２１ａ１に移動されると、マナーモードの設定または解除されて、報知手段が切り替えられる。たとえば、マナーモードが設定されていない状態において、図１２（ａ）に示す切替画像ＭＩが第１表示面１１ａ１から第２表示面２１ａ１に移動されると、マナーモードが設定されて、図１２（ａ）に示す画面に代えて図１２（ｂ）に示す画面が表示される。このように切替画像ＭＩが切り替わることにより、音による報知から振動による報知に切り替えられたことがわかる。反対に、図１２（ｂ）に示す切替画像ＭＩが第１表示面１１ａ１から第２表示面２１ａ１に移動されると、マナーモードが解除される。この場合、マナーモードは解除されたが、キーロック機能は維持されたままであるので、図１２（ｂ）の解除画面が各表示面１１ａ１、２１ａ１に表示されたままである。なお、図１２（ｂ）に示す切替画像ＭＩが第１表示面１１ａ１から第２表示面２１ａ１に移動されることにより、マナーモードが解除されると同時に、キーロック機能が解除されてもよい。これにより、各表示面１１ａ１、２１ａ１には解除画面に代えて操作画面が表示される。
【０１３９】
なお、図１３に示すように、携帯電話機１の向きが縦から横に変更された場合、解除画面におけるオブジェクト画像ＯＩおよび切替画像ＭＩなどの配置や表示方向が切り替えられる。また、第２表示面２１ａ１にオブジェクト画像ＯＩおよび切替画像ＭＩが配置され
てもよい。
【０１４０】
また、切替画像ＭＩが操作されている間、オブジェクト画像ＯＩが半透明に表示されてもよい。反対に、オブジェクト画像ＯＩが操作されている間、切替画像ＭＩが半透明に表示されてもよい。このように表示制御を行うことにより、切替画像ＭＩおよびオブジェクト画像ＯＩのいずれの画像が操作されているかをユーザに対して認識させることができる。
【０１４１】
さらに、上記実施形態では、２つのタッチパネルを携帯電話機１に設けたが、３つ以上のタッチパネルを設けることもできる。
【０１４２】
また、上記実施形態では、携帯電話機１を用いたが、ＰＤＡや携帯ゲーム機などの携帯端末装置を用いることもできる。
【０１４３】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１４４】
１  携帯電話機
１１  第１ディスプレイ
１２  第１タッチセンサ
２１  第２ディスプレイ
２２  第１タッチセンサ
１００  ＣＰＵ
２００  メモリ
ＯＩ  オブジェクト画像
ＭＩ  切替画像
【図１】
0005693305.tif 000002
【図２】
0005693305.tif 000003
【図３】
0005693305.tif 000004
【図４】
0005693305.tif 000005
【図５】
0005693305.tif 000006
【図６】
0005693305.tif 000007
【図７】
0005693305.tif 000008
【図８】
0005693305.tif 000009
【図９】
0005693305.tif 000010
【図１０】
0005693305.tif 000011
【図１１】
0005693305.tif 000012
【図１２】
0005693305.tif 000013
【図１３】
0005693305.tif 000014